(57)【要約】【課題】  配管設備に対する施工不良検査の準備を行うに際して、配管内の空気溜まりを確実に排除して配管内に所定圧の水を充填させる。【解決手段】  配管設備検査準備装置２は、配管１Ａの一方の端部１Ｂに接続される給水経路２０Ａと他方の端部１Ｃに接続される排水経路２０Ｂとを備え、給水経路２０Ａには、圧力ゲージ２２，逃がし弁２３，加圧ポンプ２４，フィルタ２５が設けられている。給水経路２０Ａを構成するホースの入水端と排水経路２０Ｂを構成するホースの排水端が、伴に可搬容器２６に溜められた水の中に配置されている。加圧ポンプ２４を作動させて、可搬容器２６内の水を循環させることで、配管１Ａ内の空気溜まりを排除して所定圧の水を充填させる。【選択図】図１
2005201666.tif 000002
【特許請求の範囲】
【請求項１】
検査対象の配管設備に対して、配管内に水を充填させる配管設備検査準備装置において、
前記配管内に供給する水を溜める可搬容器を備えると共に、該可搬容器内の水を前記配管の一端に供給する給水経路と、前記配管の他端から排出される水を前記可搬容器内に回収する排水経路とを備え、
前記給水経路にバッテリ駆動の加圧ポンプを設置したことを特徴とする配管設備検査準備装置。
【請求項２】
前記加圧ポンプの下流側給水経路に逃がし弁と圧力ゲージを設け、該逃がし弁によって逃がされた水を前記可搬容器に戻す逃がし経路を設けたことを特徴とする請求項１に記載された配管設備検査準備装置。
【請求項３】
前記加圧ポンプの上流側に前記配管内の汚れを回収するフィルタを設けたことを特徴とする請求項１又は２に記載された配管設備検査準備装置。
【請求項４】
前記加圧ポンプ、前記逃がし弁、前記圧力ゲージ、前記フィルタをユニット化した加圧ポンプユニット及び前記加圧ポンプをバッテリ駆動するためのバッテリユニットを備え、非使用時に前記可搬容器の上部開口から該可搬容器内に前記加圧ポンプユニット及び前記バッテリユニットを収納可能にしたことを特徴とする請求項３に記載された配管設備検査準備装置。
【請求項５】
検査対象の配管設備に対して、配管内に水を充填させる配管設備検査準備方法において、
可搬容器内に溜められた水を、バッテリ駆動の加圧ポンプによって給水経路を介して前記配管の一端に供給し、該配管の他端から排水された水を、排水経路を介して前記可搬容器内に回収する工程を有し、
前記可搬容器内に溜められた水を前記配管内に循環させることによって、前記配管内に空気溜まりが無い状態で水を充填させることを特徴とする配管設備検査準備方法。
【請求項６】
前記加圧ポンプの上流側給水経路にフィルタを設けて、前記工程によって配管内の洗浄を同時に行うことを特徴とする請求項５に記載された配管設備検査準備方法。
【請求項７】
前記加圧ポンプの下流側供給経路に圧力ゲージを設けて、漏洩検査に必要な設定圧の加圧水を前記配管に充填させた状態で、前記供給経路及び前記排水経路と前記配管との接続端を遮断することを特徴とする請求項５又は６に記載された配管検査準備方法。
【発明の詳細な説明】
【技術分野】
【０００１】
本発明は、配管設備に対する施工不良検査の準備を行う配管設備検査準備装置及び検査準備方法に関する。
【背景技術】
【０００２】
家屋等の施設内に敷設される配管は、室内のスペース確保或いは美観確保のために壁面内或いは床下内に敷設されることが多くなっており、また、配管の敷設自由度を高めるためにフレキシブル配管を用いて、障害物を迂回するように屈曲した配管経路を形成することが多くなっている。特に、床暖房設備における放熱部は、床下に屈曲した樹脂配管を張り巡らせて、この樹脂配管によって温水の循環経路を形成している。
【０００３】
このような配管設備は、壁面や床下内に敷設された後に、正しく施工されているか否かの検査が行われる。この検査としては、一つは漏洩検査であり、また一つは、釘打ち検査である。
【０００４】
漏洩検査は、配管の漏洩有無を検査するものであり、敷設された配管内に加圧流体（水）を充填して、時間経過に応じた圧力低下の有無を検知することで検査がなされる。
【０００５】
釘打ち検査は、壁面や床面の施工時に打たれる釘が配管に刺さっていないかを検査するものである。配管に釘が刺さっている場合には、刺さった釘で孔が塞がれるので当初の漏洩検査では圧力低下が検知されないことが多く、配管設備の稼働後に漏洩が生じることがあるので、前述した漏洩検査とは別に釘打ち検知器による検査が行われている。
【０００６】
ここで用いられる釘打ち検知器は、例えば下記特許文献１，２に示されるようなものである。その基本原理は、絶縁性の樹脂配管を対象にして、配管内に導電材である水を充填し、この配管内の水によって第１の導電経路を形成すると共に、配管の表面に配備された導電性被覆によって第２の導電経路を形成して、釘が配管に刺さることによって第１の導電経路と第２の導電経路が短絡することを電気的に検知するものである。
【０００７】
【特許文献１】特開平１１−２８７７８３号公報
【特許文献２】特開２００２−２４３６８８号公報
【発明の開示】
【発明が解決しようとする課題】
【０００８】
配管設備に対して前述した漏洩検査や釘打ち検査を行う際には、先ず、配管内の洗浄を行った後に、配管内に水を充填する準備作業がなされる。ここで重要なことは、配管内の空気溜まりを完全に排除して、配管内に水を充填することであり、これが不十分な場合には、漏洩検査で精度の高い結果が得られないだけでなく、空気溜まりによって配管内の水による導電経路が遮断されてしまうので、釘打ち検知器による検査を有効に行うことができなくなる。
【０００９】
これに対して、通常は、手動又は電動のポンプで配管の一方端から水を供給して他方端から水を排出しながら配管内に水を充填しているが、手動ポンプによる給水で気泡を含まない水を定常的に供給することは困難であり、また、前述したように昨今の配管事情では、屈曲した配管経路を形成することが多くなっているので、屈曲配管の山部で空気溜まりが形成され易く、完全に空気溜まり無く配管に水を充填するのに多大な時間と労力を要している。特に集合住宅に敷設された配管設備を続けて検査する場合には、その準備作業に大変な時間と労力を要することになる。
【００１０】
また、前述の手法では、配管内に一端から多くの水を供給して他端から排出するので、配管敷設箇所の周辺が水で濡れてしまうという不具合が生じる。特に、このような配管設備の検査は新築家屋の引き渡し前に行われることが多いので、周辺部の水濡れを極力少なくすることが求められている。
【００１１】
一方、電動ポンプを用いることで時間と労力の軽減は可能であるが、前述した水濡れの問題はこれによっては解消されず、更には、新築家屋の引き渡し前といった状況では、ポンプ稼働のための電源を確保することが困難であるという問題もある。
【００１２】
本発明は、このような事情に対処するために提案されたものであり、配管設備に対する施工不良検査の準備を行うに際して、配管内の空気溜まりを確実に除去して配管内に水を充填させること、この準備作業の時間と労力を軽減すること、検査対象の配管周辺を濡らすことなく円滑な準備作業を行うことができること、電源確保が困難な場所でも簡易に作業を行うことができること等が本発明の目的である。
【課題を解決するための手段】
【００１３】
このような目的を達成するために、本発明の配管設備検査準備装置及び検査準備方法は以下の特徴を有する。
【００１４】
一つには、検査対象の配管設備に対して、配管内に水を充填させる配管設備検査準備装置において、前記配管内に供給する水を溜める可搬容器を備えると共に、該可搬容器内の水を前記配管の一端に供給する給水経路と、前記配管の他端から排出される水を前記可搬容器内に回収する排水経路とを備え、前記給水経路にバッテリ駆動の加圧ポンプを設置したことを特徴とする。
【００１５】
また一つには、前述した配管設備検査準備装置において、前記加圧ポンプの下流側給水経路に逃がし弁と圧力ゲージを設け、該逃がし弁によって逃がされた水を前記可搬容器に戻す逃がし経路を設けたことを特徴とする。
【００１６】
また一つには、前述した配管設備検査準備装置において、前記加圧ポンプの上流側に前記配管内の汚れを回収するフィルタを設けたことを特徴とする。
【００１７】
また一つには、前述した配管設備検査準備装置において、前記加圧ポンプ、前記逃がし弁、前記圧力ゲージ、前記フィルタをユニット化した加圧ポンプユニット及び前記加圧ポンプをバッテリ駆動するためのバッテリユニットを備え、非使用時に前記可搬容器の上部開口から該可搬容器内に前記加圧ポンプユニット及び前記バッテリユニットを収納可能にしたことを特徴とする。
【００１８】
更には、検査対象の配管設備に対して、配管内に水を充填させる配管設備検査準備方法において、可搬容器内に溜められた水を、バッテリ駆動の加圧ポンプによって給水経路を介して前記配管の一端に供給し、該配管の他端から排水された水を、排水経路を介して前記可搬容器内に回収する工程を有し、前記可搬容器内に溜められた水を前記配管内に循環させることによって、前記配管内に空気溜まりが無い状態で水を充填させることを特徴とする。
【００１９】
また、前記配管設備検査準備方法において、前記加圧ポンプの上流側給水経路にフィルタを設けて、前記工程によって配管内の洗浄を同時に行うことを特徴とする。
【００２０】
また、前記配管設備検査準備方法において、前記加圧ポンプの下流側供給経路に圧力ゲージを設けて、漏洩検査に必要な設定圧の加圧水を前記配管に充填させた状態で、前記供給経路及び前記排水経路と前記配管との接続端を遮断することを特徴とする。
【００２１】
このような特徴の配管設備検査準備装置及び検査準備方法によると、以下の作用を得ることができる。
【００２２】
すなわち、配管設備の検査作業現場において、可搬容器内に水を溜めて、この水を配管内に循環させる過程で配管内の空気溜まりを排除して、配管内に検査に必要な所定圧の水を充填させる。空気溜まりが完全に排除されたことを確認するには、排水経路の排水端を可搬容器内の水中に配置しておけば、排水端からの気泡の発生が無くなることで完全に空気溜まりが排除されたことを確認することができる。
【００２３】
可搬容器内の一定量の水を用い、配管内に供給した水を可搬容器内に回収するようにしているので、検査対象の配管周辺が水で濡れることはなく、また、溜めてある水を加圧ポンプで循環させるので、安定した気泡の生じ難い水の供給が可能になる。これによって、短時間で空気溜まりを排除して所定圧の水を配管内に充填させることができ、しかも作業の労力も低減させることができる。
【００２４】
また、可搬容器を用い、加圧ポンプをバッテリ駆動にしているので、装置の作業現場への搬入、作業現場の移動が容易であると共に、駆動電源が無い作業現場でも問題なく作業を行うことができる。
【００２５】
更には、加圧ポンプの下流側給水経路に逃がし弁と圧力ゲージを設けることで、前述した空気溜まりの排除を行いながら、供給圧力を逃がし弁で調整し、圧力ゲージで加圧状態を確認することができ、空気溜まりの除去と同時に漏洩検査に必要な充填圧の設定を行うことができる。
【００２６】
また、加圧ポンプの上流側に配管の汚れを回収するフィルタを設けることで、前述した水の充填作業と同時に配管内の洗浄作業を行うことができる。
【００２７】
更に、加圧ポンプ、逃がし弁、圧力ゲージ、フィルタ等をユニット化した加圧ポンプユニットと、加圧ポンプをバッテリ駆動するためのバッテリユニットとを備えて、これらを非使用時に可搬容器の上部開口から収納可能にしたことで、作業現場への装置の搬入、作業後の装置の移動を容易に行うことができ、作業性を向上させることができる。
【発明の効果】
【００２８】
以上説明したように、本発明によると、配管設備に対する施工不良検査の準備を行うに際して、配管内の空気溜まりを確実に排除して配管内に所定圧の水を充填させることができる。また、この準備作業の時間と労力を軽減することができる。また、検査対象の配管周辺を濡らすことなく円滑な準備作業を行うことができる。更には、電源確保が困難な場所でも問題なく作業を行うことができる。
【発明を実施するための最良の形態】
【００２９】
図１は、本発明の実施形態に係る配管設備検査準備装置のシステム構成を示す説明図である。この配管設備検査準備装置２は、配管設備１に対して、漏洩検査や釘打ち検査の準備作業として配管１Ａ内に水を充填させるものである。ここで配管設備１とは、漏洩検査や釘打ち検査等の検査を行うことが前提となる配管であればどのようなものでもよい。例を挙げると、床暖房装置の放熱部を形成する床下に敷設された配管、或いは給水・給湯用に壁面内に敷設された配管等を対象とすることができる。
【００３０】
配管設備検査準備装置２は、配管１Ａの一方に装備された遮断バルブ２１を備えた端部１Ｂに接続される給水経路２０Ａと、他方の遮断バルブ２１を備えた端部１Ｃに接続される排水経路２０Ｂとを備え、給水経路２０Ａには、圧力ゲージ２２，逃がし弁２３，加圧ポンプ２４，フィルタ２５が設けられている。そして、給水経路２０Ａを構成するホースの入水端と排水経路２０Ｂを構成するホースの排水端が、伴に可搬容器２６に溜められた水の中に配置されている。また、逃がし弁２３によって逃がされた水を可搬容器２６に戻す逃がし経路２０Ｃが形成されている。
【００３１】
可搬容器２６は、配管１Ａ内に供給する水を溜めるためのもので、バケツのような上部開口を有し可搬用の取手が付いたものを用いることができる。給水経路２０Ａを構成するホースと排水経路２０Ｂを構成するホースは、この可搬容器２６内に溜められた水の中に入水端と排水端を完全に浸けておく必要があるので、ある程度の長さの余長部を形成して、その余長部が可搬容器２６の底で蜷局を巻くように配置される。また、このホースが可搬容器２６から外れないように、必要に応じて、可搬容器２６の上部開口にホースが通る孔を形成した蓋を取り付けるようにしてもよい。
【００３２】
加圧ポンプ２４は、バッテリ２７で駆動されるものである。バッテリ２７は、付属の充電器によって充電されるものであり、また、必要に応じて、ＡＣ／ＤＣ変換器を介してＡＣ電源に接続できるようにしている。
【００３３】
前述した圧力ゲージ２２と逃がし弁２３は加圧ポンプ２４の下流側に設けられ、前述したフィルタ２５は加圧ポンプ２４の上流側に設けられる。このフィルタ２５は、配管１Ａ内の汚れを回収する機能を有するものである。
【００３４】
また、このような配管設備検査準備装置２は、各部をユニット化することで非使用時の可搬性を高めることができる。すなわち、図２に示すように、バッテリユニット３０と、前述した加圧ポンプ２４，逃がし弁２３，圧力ゲージ２２，フィルタ２５をユニット化した加圧ポンプユニット３１とを、可搬容器２６内に収納できるようにし、更に、給水経路２０Ａ及び排水経路２０Ｂを形成するホース３２を収納できるようにすることで、作業現場への装置の搬入及び装置の移動を楽に行うことができる。２６Ａは可搬容器２６に取り付けられる可搬用の取手である。
【００３５】
次に、このような配管設備検査準備装置２を用いた検査準備作業方法について説明する。
【００３６】
先ず、可搬容器２６内に対象の配管１Ａ内の容量に見合った量の水を溜める。そして、給水経路２０Ａを配管１Ａの端部１Ｂに接続すると共に、排水経路２０Ｂを配管１Ａの端部１Ｃに接続して、給水経路２０Ａを構成するホースの入水端と排水経路２０Ｂを構成するホースの排水端を伴に可搬容器２６に溜められた水の中に配置する。この際に、前述したように、ホースの入水端及び排水端を水の中に完全に浸けておく必要がある。
【００３７】
このような設置が完了すると、加圧ポンプ２４を作動させて、可搬容器２６内に溜められた水を、給水経路２０Ａを介して配管１Ａの端部１Ｂに供給し、配管１Ａの端部１Ｃから排出された水を、排水経路２０Ｂを介して可搬容器２６内に回収する。
【００３８】
この工程を数分間継続すると、当初配管１Ａ内に存在した空気溜まりが供給される加圧水に押し出されて、配管１Ａ外に排出されるようになる。空気溜まりの排出は、可搬容器２６内に溜められた水の中に配置されたホースの排水端から気泡が出ることで確認することができる。したがって、この気泡が出なくなったところで、遮断バルブ２１を閉めれば、配管１Ａ内の空気溜まりは完全に排除され、所定圧の水が配管１Ａ内に充填されることになる。
【００３９】
また、この工程では、配管１Ａ内に可搬容器２６内の水を循環させることになるが、給水経路２０Ａに設けたフィルタ２５が配管１Ａ内の汚れを回収する機能を有するので、水の充填と同時に配管１Ａ内の洗浄を行うことができる。
【００４０】
また、加圧ポンプ２４の下流側に設けた圧力ゲージ２２によって圧力を確認しながら、逃がし弁２３を操作して圧力調整をすることで、配管１Ａ内に充填する水の圧力を適宜に設定することができる。したがって、この圧力を漏洩検査に必要な設定圧にすることで、直ちに漏洩検査と釘打ち検査を実行することが可能になる。
【００４１】
このような実施形態の配管設備検査準備装置２及びそれを用いた検査準備作業によると、以下に示す利点が得られる。
（１）配管１Ａ内の空気溜まりを完全に排除した状態で所定圧の水を配管１Ａ内に充填することができるので、精度の高い釘打ち検査を行うことができると共に、即座に漏洩検査を実行することができる。
（２）配管１Ａ内に水を充填する検査準備作業を短時間で確実に行うことができると共に、作業の労力を軽減することができる。
（３）配管１Ａ内に供給される水は、可搬容器２６から供給されて、確実に可搬容器２６内に戻されるので、配管１Ａ周辺の作業現場が濡れることなく作業を完了させることができる。
（４）可搬容器２６を用い、加圧ポンプ２４の駆動をバッテリ式にしているので、装置の移動を簡易に行うことができ、また、電源がない作業現場でも問題なく作業を行うことができる。したがって、集合住宅設備配管を対象とした連続的な水張り作業を効果的に行うことができる。
（５）一つの工程で、配管１Ａへの加圧水の充填、空気溜まりの除去、配管内の洗浄を行うことができるので、効率的な検査準備作業が可能である。
（６）給水経路２０Ａに配備される器具（加圧ポンプ２４，圧力ゲージ２２，逃がし弁２３，フィルタ２５等）及びバッテリ２７をユニット化して、可搬容器２６内に収納できるようにすることで、非作業時の装置の搬入・移動を楽に行うことができる。
【図面の簡単な説明】
【００４２】
【図１】本発明の実施形態に係る配管設備検査準備装置を説明する説明図である。
【図２】本発明の実施形態に係る配管設備検査準備装置を説明する説明図である。
【符号の説明】
【００４３】
１    配管設備
１Ａ    配管
２    配管設備検査準備装置
２０Ａ    給水経路
２０Ｂ    排水経路
２１    遮断バルブ
２２    圧力ゲージ
２３    逃がし弁
２４    加圧ポンプ
２５    フィルタ
２６    可搬容器
２６Ａ    取手
２７    バッテリ
３０    バッテリユニット
３１    加圧ポンプユニット
３２    ホース
【図１】
2005201666.tif 000003
【図２】
2005201666.tif 000004